(57)【要約】      （修正有）【課題】写真データ、又は、その場で撮った写真によるアルバム製作を、安価に、かつ、簡便に行うことができるアルバム自動販売機を提供する。【解決手段】写真のデータを取り込む赤外線受光部またはメディア用カードリーダーまたはデータ吸い上げ用ケーブル、またはプレイヤー自身をその場で撮影するカメラを有し、写真を閲覧するタッチモニター、編集用ソフト内蔵のパソコン、写真をプリントするプリンターを内蔵した、前記写真のデータ、または付属カメラで撮影した写真のアルバムを製作する。【選択図】図１
0003157182.tif 000002
【実用新案登録請求の範囲】
【請求項１】
本考案は、プレイヤーが持ち込んだ、あるいはその場で取った写真のデータをもとにアルバムを制作する自動販売機である。
【請求項２】
本考案は印刷用紙とアルバム表紙になるブックカバーを別々に排出し、購買者によって組み立ててもらうことでアルバムが完成する自動販売機である。
【請求項３】
本考案に使用する印刷用紙は、折れスジ、ミシン目等の折り目を付けやすい工夫を施し、山折り、谷折りと順番に折っていくことで裏の糊同士がくっつくことで製本が出来るものを使用する。
紙同士が離れてしまわないために、紙の裏に糊を引いて裏面同士をくっつけるか、本にしたとき背表紙部分糊を付けるか、もしくは紙を背表紙部分で挟み込むことで、紙がバラバラにならないようにする。
【考案の詳細な説明】
【技術分野】
【０００１】本考案は、自分の持ってきた写真データ、あるいはその場で撮った写真を元にしたアルバムを製造できる自動販売機に関するものである。
【背景技術】
【０００２】アルバム製造に関するシステムは多々あり、すでにサービスが始まっているが、それらは全て人の手による加工で、データを持ち込み、他の人がレイアウト、プリント、製本するもので、自動化には至っていない。
ゲームセンター等におかれている写真プリント機（通称プリクラ機）は、一枚の写真をプリントするだけである。
カメラ店等にある写真プリント機は持ち込んだ写真データをプリントするだけの機械であり、なんら副次的加工を施していない。
【先行技術文献】
【特許文献】
【０００３】
【特許文献１】特許公開２００７−２５３５７４
【考案の概要】
【考案が解決しようとする課題】
【０００４】今までアルバムをプレイヤーの手だけで製作する自動販売機は世界になく、アルバムを作ろうとすると高額な金額で任意の業者に出すか、自ら全てを手作りするしかなかった。
【課題を解決するための手段】
【０００５】本考案は、今まで写真を排出するだけだった写真プリント機を、簡単な印刷用紙の加工と、ブックカバーを同時に排出することにより、簡便にアルバム状に出来るようにした、世界で唯一のアルバム自動販売機である。プレイヤーは、自分の持ってきた写真データ、あるいはその場で取った写真を機械に取り込み、その中から任意の枚数選び、それをレイアウトし、プリントアウトする。プリントアウトされた紙は、折れスジ、ミシン目等の折り目を付けやすい工夫を施してあり、山折り、谷折りと順番に折っていくことで本の形になる。そのままだと紙同士が離れてしまうため、紙の裏に糊を引いて裏面同士をくっつけるか、本にしたとき背表紙部分に糊を付けて、紙がバラバラにならないようにする。
上記印刷用紙とアルバム表紙になるブックカバーを別々に排出し、プレイヤーによって組み立ててもらうことでアルバムが完成する。
【考案の効果】
【０００６】本機によってユーザーは、写真データ、あるいはその場で撮った写真によるアルバム製作が、安価に、早くその場で手にすることが出来る。
【図面の簡単な説明】
【０００７】
【図１】筐体全体図
【図２】印刷用紙詳細
【図３】用紙折りたたみ方
【図４】アルバム完成図
【考案を実施するための形態】
【０００８】本考案で使用する筐体は、通常は待機状態にあり、お金を入れることで自動的に１のモニターのソフトが切り替わり、入力が可能になる。
プレイヤーは自分の持ってきたデータカード、メモリー、または携帯電話を３、４、５に挿入、またはつなげることでデータを筐体に移し、また、その場で筐体に付属した９のカメラで写すことで、素材となる写真を筐体内にため込む。ため込まれた写真をプレイヤーは１のモニター上で編集（拡大、縮小、回転、彩色、レタッチ、トリミング等）し、１０の内蔵プリンターにより８の取出口からプリントアウトされる。
１５のプリントアウトされた用紙は、裏に糊が塗ってあり、台紙から剥がして１３，１４のミシン目、あるいは折り目が付いた場所を１３（細かい波線）で山折り、１４（大きな波線）で谷折りすることで、１６のようなアコーディオン状になり、さらに押しつけると裏のノリ同士がくっついて本の形になる。プレイヤーは、２のディスプレイに陳列してあるアルバムカバーの中から任意の一個を選び、選択する。上記用紙と共に排出されたアルバムカバーに、すでに本の形になった印刷物をはめ込み、１７のようなアルバムの形状にする。
【実施例】
【０００９】本機は、その即時性と手軽さから、観光地、結婚式場等の、写真データ（携帯電話を含む）を持っていて、かつそれを仲間で分け合いたい状況の場所、また、プリクラ機にならぶアミューズメントマシンとしてゲームセンター等での利用が考えられる。
【符号の説明】
【００１０】１．タッチモニター
２．アルバムカバー陳列ディスプレイ
３．携帯電話用赤外線受光部
４．各種メディア用カードリーダー
５．帯電話用データ吸い上げケーブル
６．コイン投入口
７．スピーカー
８．商品取り出し口
９．カメラ
１０．インターフェース基板
１１．プリンター
１２．パソコン
１３．山折り箇所
１４．谷折り箇所
１５．印刷用紙
１６．折り方説明
１７．アルバム完成状態
【図１】
0003157182.tif 000003
【図２】
0003157182.tif 000004
【図３】
0003157182.tif 000005
【図４】
0003157182.tif 000006
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
写真のデータを取り込む赤外線受光部及びメディア用カードリーダー及びデータ吸い上げ用ケーブル、写真を閲覧するタッチモニター、編集用ソフト内蔵のパソコン、写真をプリントするプリンター、プレイヤー自身を撮影するカメラを有する、アルバムを製作する自動販売機。
【請求項２】
アルバム表紙になるブックカバーを排出する機構を有する、請求項１記載のアルバムを製作する自動販売機。
【請求項３】
写真印刷において、裏に糊があり、かつ折れスジ、ミシン目等の折り目を付けやすい工夫を施し、山折り、谷折りと順番に折り、裏の糊同士がくっつくことで製本が出来る用紙を使用した、請求項１記載のアルバムを製作する自動販売機。
【手続補正２】
【補正対象書類名】明細書
【補正対象項目名】０００２
【補正方法】変更
【補正の内容】
【０００２】アルバム製造に関するシステムは多々あり、すでにサービスが始まっているが、それらは全て人の手による加工で、データを持ち込み、他の人がレイアウト、プリント、製本するもので、自動化には至っていない。
ゲームセンター等におかれている写真プリント機は、一枚の写真をプリントするだけである。
カメラ店等にある写真プリント機は持ち込んだ写真データをプリントするだけの機械であり、なんら副次的加工を施していない。
【手続補正３】
【補正対象書類名】明細書
【補正対象項目名】０００９
【補正方法】変更
【補正の内容】
【０００９】本機は、その即時性と手軽さから、観光地、結婚式場等の、写真データ（携帯電話を含む）を持っていて、かつそれを仲間で分け合いたい状況の場所、また、ゲームセンター用プリント機にならぶアミューズメントマシンとしてゲームセンター等での利用が考えられる。
【手続補正書】
【提出日】平成21年10月1日(2009.10.1)
【手続補正１】
【補正対象書類名】実用新案登録請求の範囲
【補正対象項目名】全文
【補正方法】変更
【補正の内容】
【実用新案登録請求の範囲】
【請求項１】
写真のデータを取り込む赤外線受光部またはメディア用カードリーダーまたはデータ吸い上げ用ケーブル、またはプレイヤー自身をその場で撮影するカメラを有し、写真を閲覧するタッチモニター、編集用ソフト内蔵のパソコン、写真をプリントするプリンターを内蔵した、前記写真のデータ、または付属カメラで撮影した写真のアルバムを製作する自動販売機。
【請求項２】
アルバム表紙になるブックカバーを排出する機構を有する、請求項１記載のアルバムを製作する自動販売機。
【請求項３】
写真印刷において、裏に糊があり、かつ折れスジ、ミシン目等の折り目を付けやすい工夫を施し、山折り、谷折りと順番に折り、裏の糊同士がくっつくことで製本が出来る用紙を使用した、請求項１記載のアルバムを製作する自動販売機。